(57)【要約】【課題】十分な摺動性能を確保しつつ、筆記時における筆記部のガタを発生させないので快適な筆記を得ることができる複式の筆記具を提供する。【解決手段】軸筒１０に対し前後方向に摺動して該軸筒１０の開口部１０ａから筆記体１６の筆記部１２を繰り出す筆記具であり、筆記体１６の先端部外周に環状部材１４を配設し、筆記部１２が出没する軸筒１０先端の開口部１０ａ周辺の内側面１０ｂに、環状部材１４が当接し、当接する部分の内面が略球面状に形成されている。【選択図】図１
2013220602.tif 000002
【特許請求の範囲】
【請求項１】
軸筒に対し筆記体が前後方向に摺動して該軸筒の開口部から該筆記体の筆記部を繰り出す筆記具において、
筆記体の外周に環状部材を配設し、筆記部が出没する軸筒先端の開口部周辺の内側面に、環状部材が当接することで、筆記体のガタが発生しないことを特徴とする筆記具。
【請求項２】
軸筒に対し筆記体が前後方向に摺動して該軸筒の開口部から該筆記体の筆記部を繰り出す筆記具において、
筆記体の外周に環状部材を配設し、筆記部が出没する軸筒先端の開口部周辺の内側面に、環状部材が当接し、当接する部分が略球面状に形成されていることを特徴とする筆記具。
【請求項３】
環状部材と筆記体のインク収容管との間にスプリングを配設して、該環状部材を先方に向けて付勢したことを特徴とする請求項１又は２に記載の筆記具。
【請求項４】
複式筆記具であることを特徴とする請求項１から３いずれか１項に記載の筆記具。
【発明の詳細な説明】
【技術分野】
【０００１】
本発明は、ノック式ボールペン等の軸筒内に筆記体を収容する筆記具に関する。
【背景技術】
【０００２】
従来からある筆記具においては、筆記部と軸筒との組立性を確保し、また、ノック式筆記具においては摺動性を確保する必要があることから、筆記部と軸筒との間に僅かながら隙間が形成されている。
【０００３】
しかしながら、筆記部と軸筒との間に隙間があることで筆記時には筆記部がガタついてしまい快適な筆記を得ることができない。
【０００４】
そこで下記特許文献による解決方法が挙げられる。
【０００５】
実開平５−８５６８３号公報（特許文献１）では、筆記部先端に外周部に凹溝を設けてＯリングを嵌着して設けた筆記先端部の振れ防止装置が開示されている。
【０００６】
また、実開平５−９３８８４号公報（特許文献２）では、軸筒の先端内に設けた係止段部にＯリング（弾性リング）を係合した振れ防止装置が開示されている。
【先行技術文献】
【特許文献】
【０００７】
【特許文献１】実開平５−８５６８３号公報
【特許文献２】実開平５−９３８８４号公報
【発明の概要】
【発明が解決しようとする課題】
【０００８】
しかしながら、前述の２件の特許文献に記載される技術は共に、Ｏ（オー）リングを軸筒に固定させることによる筆記部の保持を行うものであるが、一般的にはゴム材料により、筆記しても撓んで隙間が生じたり、筆記部を繰り出した後、収納する際にＯリングの表面の凝着エネルギーによりボールペンチップに食いついたりするので、スムーズな収納ができないという問題がある。
【０００９】
本発明は、斯かる実情に鑑み、十分な摺動性能を確保しつつ、筆記時における筆記部のガタを発生させないので快適な筆記を得ることができる。
【課題を解決するための手段】
【００１０】
本発明は、軸筒に対し筆記体が前後方向に摺動して該軸筒の開口部から該筆記体の筆記部を繰り出す筆記具において、
筆記体の外周に環状部材を配設し、筆記部が出没する軸筒先端の開口部周辺の内側面に、環状部材が当接することで、筆記体のガタが発生しないことを特徴とする筆記具である。
また、軸筒先端の開口部周辺の内側面は、環状部材先端が当接し、当接する部分が略球面状に形成されていることを特徴とする筆記具である。
また、環状部材の当接部の表面は、平面（斜面）状でもよいが、球面状に形成されていることが好適である。
なお、軸筒先端の開口部周辺の内側面は、環状部材の表面と密着する形状に形成されていることが好適である。
さらに、環状部材は筆記体と同一材料で構成又は筆記体自体となり一体で構成されてもよい。
【００１１】
また、本発明においては、環状部材と筆記体のインク収容管との間にスプリングを配設して、該環状部材を先方に向けて付勢したことが好適である。
【００１２】
本発明においては、複式筆記具であることが好適である。
【発明の効果】
【００１３】
本発明の筆記具によれば、筆記体外周に環状部材を配設し、筆記部が出没する軸筒先端の開口部周辺の内側面に、環状部材が当接することで、十分な摺動性能を確保しつつ、筆記時における筆記部のガタを発生させないので快適な筆記を得ることができる。
また、軸筒先端の開口部周辺の内側面は、環状部材先端が当接し、当接する部分が略球面状に形成されているので、十分な摺動性能を確保しつつ、筆記時における筆記部のガタを発生させないので快適な筆記を得ることができる。
【００１４】
特に筆記部を繰り出した際、複式筆記具の場合、特有の筆記リフィールの曲がりがあるので、環状部材の先端面を略球面状にすることで軸筒先端部（口金等）内面との密着性を向上させることができる。
【００１５】
更に環状部材の後方にスプリングを配設することで環状部材の摺動が可能となり、筆記部を繰り出した際及び筆記中においてペン先が後方に移動した際でも環状部材は口金と密着しているのでペン先の固定性を向上させることができる。
【００１６】
なお、単式の出没式筆記具でも適用できるが、特に複式の出没式筆記具でも有効である。また、出没式筆記具でなくとも、出没しないキャップ式筆記具でも利用可能であるが、特に出没式筆記具で有効である。更に、筆記体は本例ではボールペンとなっているが、シャープペンシル、マーキングペンや、消しゴム、熱変色インク用の消去具等でも有効である。
【図面の簡単な説明】
【００１７】
【図１】本発明の実施形態に係る筆記具の非ノック時の説明図で、（ａ）が断面図、（ｂ）が側面図である。
【図２】本発明の実施形態に係る筆記具のノック時の説明図で、（ａ）が断面図、（ｂ）が側面図である。
【図３】図１の筆記具のノック時の説明図で、（ａ）が断面図、（ｂ）がＢで示す筆記部先端の拡大図である。
【図４】図１の筆記具の筆記体の説明図で、（ａ）が先方向きの斜視図、（ｂ）が側面図、（ｃ）が断面図、（ｄ）が後方向きの斜視図である。
【図５】図１の筆記具の先軸の説明図で、（ａ）が先方向きの斜視図、（ｂ）が先方から見た図、（ｃ）が側面図、（ｄ）が縦断面図、（ｅ）が後方向きの斜視図、（ｆ）が後方から見た図である。
【図６】図１の筆記具の環状体の説明図で、（ａ）が先方向きの斜視図、（ｂ）が先方から見た図、（ｃ）が側面図、（ｄ）が縦断面図、（ｅ）が後方向きの斜視図、（ｆ）が後方から見た図である。
【発明を実施するための形態】
【００１８】
以下、本発明の実施形態について添付図面を参照して説明する。
【００１９】
図１〜図３は実施形態に係る筆記具の説明図、図１が非ノック時、図２、図３がノック時の状態を示す。この筆記具は、複数のリフィールを選択的にノックできる複式筆記具に係るものである。
【００２０】
実施形態の筆記具では、軸筒１０に対し前後方向に摺動して該軸筒１０の開口部１０ａから筆記部１２を繰り出すものである。
【００２１】
筆記部１２の先端部外周に環状部材１４を配設し、筆記部１２が出没する軸筒１０先端の開口部１０ａ周辺の内側面１０ｂは、少なくとも、環状部材１４先端が当たる部分の内面が球面状に形成されている。
【００２２】
また、環状部材１４は、図３、図６に示すように、概略円筒状であって、先端面１４ａが球面に沿った面取りがされた、ポリアセタール、ポリプロピレン等の樹脂材料からなるものである。
【００２３】
前記筆記部１２は、筆記体１６の先端に設けられたものであり、複式筆記具では、筆記体１６のリフィールにはボールペンまたはシャープペンシル等各種を用いることができる。図２〜図３では、ボールペンの筆記体１６が突出している状態を示している。
【００２４】
ボールペンリフィールである筆記体１６は、図４に示すように、筆記チップである筆記部１２先端に筆記ボールが抱持され、インク収容管１８の先端部内に筆記部１２が嵌着・固定されている。なお、図１等では、他の筆記体１６のリフィールには、他の色のボールペンやシャープペンシルを用いた場合を示している。
【００２５】
前記軸筒１０の先部の先軸２２を後部の後軸２４と螺着して結合している。先軸２２は外面がラバー等のゴム弾性材でおおわれている。また、後軸２４内には筆記体１６を繰り出しボタン２６ａのノック操作によって繰り出す繰り出し機構２６が設けられるが、繰り出し機構２６は周知のものを各種用いることができる。図１、図２において符号２８はクリップである。
【００２６】
筆記部１２の先端の外周に先方が拡径する段部１２ａが形成されていて、その段部１２ａを取り囲みかつ係止するように環状部材１４が設けられている。筆記部１２の外周には、環状部材１４とインク収容管１８との間にスプリング２０を配設して、該環状部材１４の平坦な後端面がスプリング２０の受け面となり、このスプリング２０が該環状部材１４を先方に向けて付勢している。また、図６に示すように、環状部材１４は先端面１４ａが球面に沿った面取りがされており、内周部が後端側で内側に突出した内段部１４ｂが形成されている。
【００２７】
繰り出し機構２６を繰り出し操作して、上記の筆記体１６を軸筒１０の開口部１０ａから突出させると、環状部材１４の先端面１４ａが軸筒１０の内側面１０ｂに当たる。環状部材１４がスプリング２０で先方向きに押圧されているので、スプリング２０の弾発力によって該環状部材１４が内側面１０ｂに密着した状態で移動が制止される。それと共に、筆記部１２が移動を続け、環状部材１４の内段部１４ｂが筆記部１２の段部１２ａから離れる（図２参照）。環状部材１４がポリアセタール、ポリプロピレン等の樹脂材料からなるので、筆記時に筆記部１２を軸筒１０先端に緊密に保持し、ガタつきなく良好な書き味を得ることができる。
【００２８】
実施形態の筆記具によれば、筆記部１２外周に環状部材１４を配設し、筆記部１２が出没する軸筒１０先端の開口部１０ａ周辺の内側面１０ｂは、環状部材１４の先端(先端面１４ａ）が当たる部分が球面状に形成されているので、十分な摺動性能を確保しつつ、筆記時における筆記部１２のガタを発生させないので快適な筆記を得ることができる。
なお、軸筒１０の内側面１０ｂや環状部材１４の先端面１４ａは球面に沿った形状が好適であるが、必ずしも球面形状でなくても、環状部材１４が軸筒内に密接する形状であれば各種形状を選択できる。例えば、内側面１０ｂと先端面１４ａとの当たる部分を曲線状またはテーパ状等とする等、適宜の面取りで対応してもよい。
【００２９】
特に筆記部１２を繰り出した際、複式筆記具の場合、特有の筆記リフィールの曲がりがあるので、環状部材１４の先端面１４ａを球面にすることで軸筒１０先端部（口金等）との密着性を向上させることができる。
【００３０】
更に環状部材１４の後方にスプリング２０を配設することで環状部材１４の摺動が可能となり、より筆記部１２を繰り出した際の軸筒１０先端部（口金等）との密着性を向上させることができる。
【産業上の利用可能性】
【００３１】
本発明の筆記具は、単式の出没式筆記具でも適用できるが、特に複式の出没式筆記具でも有効である。また、出没式筆記具でなくとも、出没しないキャップ式筆記具でも利用可能であるが、特に出没式筆記具で有効である。更に、筆記体は本例ではボールペンとなっているが、シャープペンシル、マーキングペンや、消しゴム、熱変色インク用の消去具等でも有効である。
【符号の説明】
【００３２】
１０  軸筒
１０ａ  開口部
１０ｂ  内側面
１２  筆記部
１２ａ  段部
１４  環状部材
１４ａ  先端面
１４ｂ  内段部
１６  筆記体
１８  インク収容管
２０  スプリング
２２  軸筒の先軸
２４  軸筒の後軸
２４  環状部材
２６  繰り出し機構
２６ａ  ボタン
２８  クリップ
【図１】
2013220602.tif 000003
【図２】
2013220602.tif 000004
【図３】
2013220602.tif 000005
【図４】
2013220602.tif 000006
【図５】
2013220602.tif 000007
【図６】
2013220602.tif 000008